(57)【要約】【課題】  盗電を避けて親機に電力を供給すると共に、集合住宅内あるいは事業所内に設けられた子機である通信用端末装置と、親機との間の通信品質を高める。【解決手段】  外部の通信ネットワーク３０に接続された親機２９と、屋内に引き込まれた屋内配線２３から分岐された複数の分岐配線２５と、各岐配線２５にそれぞれ設けられた電力計２６と、電力計２６の下流に設けられると共に分岐配線２５を介して親機２９と通信する子機２８とを備え、親機２９には１つの電力計２６−１の下流から電力を供給し、親機２９を屋内配線２３に高周波的に結合したので、親機２９で消費する電力は１つの電力計２６−１によって計量されるので盗電を避けられる。【選択図】        図１
2006295692.tif 000002
【特許請求の範囲】
【請求項１】
外部の通信ネットワークに接続された親機と、屋内に引き込まれた屋内配線から分岐された複数の分岐配線と、前記各分岐配線にそれぞれ設けられた電力計と、前記電力計の下流に設けられると共に前記分岐配線を介して前記親機と通信する子機とを備え、前記親機には１つの前記電力計の下流から電力を供給し、前記親機を前記屋内配線に高周波的に結合したことを特徴とする電力線通信システム。
【請求項２】
前記親機に電力を供給するための電源コードを前記屋内配線に高周波的に結合したことを特徴とする請求項１に記載の電力線通信システム。
【請求項３】
前記電源コードは、途中から分岐された分岐コードを有する中継用電源コードであり、前記分岐コードをＰＬＣ信号結合用のコンデンサを介して前記屋内配線に接続したことを特徴とする請求項２に記載の電力線通信システム。
【請求項４】
２つの電源コードをそれぞれ挟持するための挟持部を有する絶縁体ブロックと、前記絶縁体ブロック内に埋め込まれると共に、前記挟持部に突出してた状態で前記挟持された電源コードの絶縁被覆を破って前記電源コードの導体に接触する金属製の接触片とを有するコード結合器を設け、前記屋内配線を一方の前記挟持部によって挟持すると共に、前記分岐コードを他方の前記挟持部によって挟持し、前記接触片同士を前記絶縁体ブロック内に埋め込まれた前記コンデンサによって相互に接続したことを特徴とする請求項３に記載の電力線通信システム。
【請求項５】
前記中継用電源コードの途中には前記分岐コードの接続点よりも上流側にＰＬＣ信号阻止用のインダクタを直列に介挿したことを特徴とする請求項３又は４に記載の電力線通信システム。
【請求項６】
外部の通信ネットワークに接続された親機と、屋内に引き込まれた３相４線式の電力線に接続された配電盤と、前記配電盤の下流に接続された電力計と、前記電力計の下流に設けられると共に前記３相４線式の電力線を介して前記親機と通信する子機とを備え、２つの電源コードをそれぞれ挟持するための挟持部を有する絶縁体ブロックと、前記絶縁体ブロック内に埋め込まれると共に、前記挟持部に突出してた状態で前記挟持された電源コードの絶縁被覆を破って前記電源コードの導体に接触する金属製の接触片とを有するコード結合器を設け、前記親機には１つの前記電力計の下流から電力を供給し、前記配電盤の下流側において、前記親機を前記コード結合器を介して１つの相の電力線に結合し、他の２つの相の電力線相互間、及び前記１つの相の電力線と前記２つの相の電力線の何れか一方との間を前記コード結合器によって結合したことを特徴とする電力線通信システム。
【発明の詳細な説明】
【技術分野】
【０００１】
本発明は、電力線を介して通信を行う電力線通信システムに関する。
【背景技術】
【０００２】
図４は、例えば集合住宅内の電力線に高周波信号を重畳して通信を行う電力線通信システムの一例を示す。高圧電力線１１は、配電トランス１により２２０Ｖ３相又は１００Ｖ２相に変圧され、低圧化された状態で電力線１２により各家庭６に配電される。配電トランス１は、２０戸未満の集合住宅では、一般家庭と同じように柱上トランスに該当する。２０戸以上の大規模集合住宅では専用の配電トランスを有し、取り込まれた高圧電力線を集合住宅内で変圧して低圧化された電力線とする。
【０００３】
このシステムでは、配電トランス１より下流の、低圧化された電力線１２の分岐前の部分に取り付けられる１台の親機２と、各家庭６の端末に接続する複数台の子機４−１〜４−ｎの間を結ぶ通信網の中間に複数台の中継装置３−１〜３−ｎを設けている。親機２は低圧化された電力線１２に接続され、光ファイバーもしくはＤＳＬ等による上位のデータ通信網１６との間でデータの変換等を行う。
【０００４】
上位のデータ通信網１６からの情報は、アナログ高周波信号として親機２により電力線１２に重畳され、下流の子機４−１〜４−ｎに伝送される。ところが、低圧化された電力線１２は、電力線１２から分岐配線１３、１４、１５のような各家庭６までに多くの分岐があるほか、親機２と子機４−１〜４−ｎの間の配線距離、配線の種類により、信号が減衰され届かなくなることがある。従って、親機２と子機４−１〜４−ｎの間に中継装置３−１〜３−ｎを必要とする。中継装置３−１〜３−ｎの数は各家庭６の子機４−１〜４−ｎの数にもよるが、中継装置３−１〜３−ｎの１台に対し、家庭数６が１〜１０戸程度カバーするのが好ましい。また、中継装置３−１〜３−ｎの特性から親機１機に対し、中継装置３−１〜３−ｎを２〜１００第程度設置するシステムが好ましい。
【０００５】
中継装置３−１〜３−ｎは、親機２と子機４−１〜４−ｎの間であれば場所は問わないが、２０戸以上の集合住宅では各フロアに１台以上用意するのが妥当である。設置に関しては、専用の設置場所を設けるのが好ましいが、電力量計設置スペースに設置しても良いし、家庭６内のコンセント５に接続しても使用できる（例えば、特許文献１参照。）。
【０００６】
【特許文献１】特開２００４−２３６０５６号公報（図１）
【発明の開示】
【発明が解決しようとする課題】
【０００７】
従来システムでは、親機２には電力線１２から電力を供給するが、電力線１２は集合住宅６に引き込む分岐配線１３〜１５よりも上流であるので、電力線１２から親機２に電力を供給すると盗電になる。
【０００８】
本発明は、盗電を避けて親機に電力を供給すると共に、集合住宅内あるいは事業所内に設けられた子機である通信用端末装置と、親機との間の通信品質を高めることを目的とする。
【課題を解決するための手段】
【０００９】
本発明の第１の解決手段は、外部の通信ネットワークに接続された親機と、屋内に引き込まれた屋内配線から分岐された複数の分岐配線と、前記各分岐配線にそれぞれ設けられた電力計と、前記電力計の下流に設けられると共に前記分岐配線を介して前記親機と通信する子機とを備え、前記親機には１つの前記電力計の下流から電力を供給し、前記親機を前記屋内配線に高周波的に結合した。
【００１０】
また、第２の解決手段は、前記親機に電力を供給するための電源コードを前記屋内配線に高周波的に結合した。
【００１１】
また、第３の解決手段は、前記電源コードは、途中から分岐された分岐コードを有する中継用電源コードであり、前記分岐コードをＰＬＣ信号結合用のコンデンサを介して前記屋内配線に接続した。
【００１２】
また、第４の解決手段は、２つの電源コードをそれぞれ挟持するための挟持部を有する絶縁体ブロックと、前記絶縁体ブロック内に埋め込まれると共に、前記挟持部に突出してた状態で前記挟持された電源コードの絶縁被覆を破って前記電源コードの導体に接触する金属製の接触片とを有するコード結合器を設け、前記屋内配線を一方の前記挟持部によって挟持すると共に、前記分岐コードを他方の前記挟持部によって挟持し、前記接触片同士を前記絶縁体ブロック内に埋め込まれた前記コンデンサによって相互に接続した。
【００１３】
また、第５の解決手段として、前記中継用電源コードの途中には前記分岐コードの接続点よりも上流側にＰＬＣ信号阻止用のインダクタを直列に介挿した。
【００１４】
また、第６の解決手段として、外部の通信ネットワークに接続された親機と、屋内に引き込まれた３相４線式の電力線に接続された配電盤と、前記配電盤の下流に接続された電力計と、前記電力計の下流に設けられると共に前記３相４線式の電力線を介して前記親機と通信する子機とを備え、２つの電源コードをそれぞれ挟持するための挟持部を有する絶縁体ブロックと、前記絶縁体ブロック内に埋め込まれると共に、前記挟持部に突出してた状態で前記挟持された電源コードの絶縁被覆を破って前記電源コードの導体に接触する金属製の接触片とを有するコード結合器を設け、前記親機には１つの前記電力計の下流から電力を供給し、前記配電盤の下流側において、前記親機を前記コード結合器を介して１つの相の電力線に結合し、他の２つの相の電力線相互間、及び前記１つの相の電力線と前記２つの相の電力線の何れか一方との間を前記コード結合器によって結合した。
【発明の効果】
【００１５】
第１の解決手段によれば、第１の解決手段は、外部の通信ネットワークに接続された親機と、屋内に引き込まれた屋内配線から分岐された複数の分岐配線と、各分岐配線にそれぞれ設けられた電力計と、電力計の下流に設けられると共に分岐配線を介して親機と通信する子機とを備え、親機には１つの電力計の下流から電力を供給し、親機を屋内配線に高周波的に結合したので、親機で消費する電力は１つの電力計によって計量されるので盗電を避けられる。
【００１６】
また、第２の解決手段によれば、親機に電力を供給するための電源コードを屋内配線に高周波的に結合したので、親機を電源コードを介して分岐波線及び屋内配線に結合できる。
【００１７】
また、第３の解決手段によれば、電源コードは、途中から分岐された分岐コードを有する中継用電源コードであり、分岐コードをＰＬＣ信号結合用のコンデンサを介して屋内配線に接続したので、電源コードと屋内配線との結合が簡単である。
【００１８】
また、第４の解決手段によれば、２つの電源コードをそれぞれ挟持するための挟持部を有する絶縁体ブロックと、絶縁体ブロック内に埋め込まれると共に、挟持部に突出した状態で、挟持された電源コードの絶縁被覆を破って電源コードの導体に接触する金属製の接触片とを有するコード結合器を設け、屋内配線を一方の挟持部によって挟持すると共に、分岐コードを他方の挟持部によって挟持し、接触片同士を絶縁体ブロック内に埋め込まれたコンデンサによって相互に接続したので、屋内配線を切断することなく分岐コードに結合できる。
【００１９】
また、第５の解決手段によれば、前記中継用電源コードの途中には前記分岐コードの接続点よりも上流側にＰＬＣ信号阻止用のインダクタを直列に介挿したので、電力計の下流からは高周波信号を除去して電力のみを親機に供給することができる。
【００２０】
また、第６の解決手段によれば、外部の通信ネットワークに接続された親機と、屋内に引き込まれた３相４線式の電力線に接続された配電盤と、配電盤の下流に接続された電力計と、電力計の下流に設けられると共に前記３相４線式の電力線を介して親機と通信する子機とを備え、２つの電源コードをそれぞれ挟持するための挟持部を有する絶縁体ブロックと、絶縁体ブロック内に埋め込まれると共に、挟持部に突出してた状態で挟持された電源コードの絶縁被覆を破って電源コードの導体に接触する金属製の接触片とを有するコード結合器を設け、親機には１つの電力計の下流から電力を供給し、配電盤の下流側において、親機をコード結合器を介して１つの相の電力線に結合し、他の２つの相の電力線相互間、及び１つの相の電力線と２つの相の電力線の何れか一方との間をコード結合器によって結合したので、何れの相の電力線を使用している子機と親機との間で通信ができる。しかも、配電盤等を介さずに通信ができるので、信号の損失が少なくて済む。
【発明を実施するための最良の形態】
【００２１】
図１に本発明の電力線通信システムの構成を示す。低圧（１００Ｖ）の屋外電力線２１から分岐されて集合住宅（あるいは事業所）２２に引き込まれた屋内配線２３の先には配電盤２４が設置され、配電盤２４から分岐された分岐配線２５−１〜２５−３が各家庭又は事業所内の事務棟等に配線される。各分岐配線２５−１〜２５−３には各家庭又は各事務棟で使用される電力を計量するための電力計２６−１〜２６−３がそれぞれ設置され、その下流にコンセント２７−１〜２７−４が設けられる。そして、各コンセント２７−１〜２７−３には子機２８−１〜２８−３が接続される。各子機２８−１〜２８−３はモデムを有する。
【００２２】
一方、集合住宅２２等の屋内に設置された親機２９は外部の通信ネットワーク３０に接続される。親機２９はモデムを有する。通信ネットワーク３０は光ケーブルあるいはＡＤＳＬ回線からなる。また、親機２９には、１つの電力計２６−１の下流に設けられたコンセント２７−４を介して電力が供給される。その供給のために、中継用電源コード３１が用意される。すなわち、中継用電源コード３１は、図２に示すように一端にプラグ３１ａが接続され、他端にはコンセント３１ｂが接続される。中継用電源コード３１の途中にはＰＬＣ信号阻止用のインダクタ３１ｃが直列に介挿されている。また、コンセント３１ｂとインダクタ３１ｃとの間には分岐コード３１ｄが接続される。
【００２３】
そして、中継用電源コード３１プラグ３１ａが１つの電力計２６−１の下流に設けられたコンセント２７−４に接続され、中継用電源コード３１のコンセント３１ｂには親機２９に電力を供給するための電源コード２９ａのプラグが接続される。電源コード２９ａの接続により親機２９内のモデムに電源が供給される。また、分岐コード３１ｄはＰＬＣ信号結合用のコンデンサ３２を介して屋内配線２３に接続される。
【００２４】
以上の接続によって、親機２９で消費する電力は１つの電力計２６−１によって計量されるので盗電のおそれはない。親機２９と子機２８とは分岐配線２５を介して相互通信できる。また、子機２８は親機２９を介して外部の通信ネートワーク３０と接続される。また、中継用電源コード３１にインダクタ３１ｃが介挿されていることで、電力計２６−１の下流からは電力のみを親機２９に供給することができる。
【００２５】
図３Ａ、Ｂは分岐コード３１ｄを屋内配線２３に結合するためのコード結合器３３の構成を示し、Ａは斜視図、Ｂは断面図である。コード結合器３３は互いに対向する２つの絶縁体ブロック３４、３５を有し、対向面にはそれぞれ２つの溝条の挟持部３４ａ、３４ｂ及び３５ａ、３５ｂが形成されている。２つの絶縁体ブロック３４、３５は図示しない捻子等の手段によって互いに近接する方向に押圧される。少なくとも一方の絶縁体体ブロック（３４）には挟持部３４ａ、３４ｂにそれぞれ突出する接触片３４ｃ、３４ｄが埋め込まれている。そして、絶縁体ブロック３４内にはコンデンサ３４ｅが埋設され、このコンデンサ３４ｅは２つの接触片３４ｃ、３４ｄに接続されている。コンデンサ３４ｅは図１に示すコンデンサ３２と同じものである。
【００２６】
そして、屋内配線２３を絶縁体ブロック３４、３５の一方の挟持部３４ａ及び３５ａによって挟持し、分岐コード３１ｄを絶縁体ブロック３４、３５の他方の挟持部３４ｂ及び３５ｂによって挟持し、２つの絶縁体ブロック３４、３５を互いに押しつけると接触片３４ｃ、３４ｄはそれぞれ屋内配線２３および分岐コード３１ｄの外部絶縁被覆を突き破って内部の導体に接触する。そのため、屋内配線２３と分岐コード３１ｄは互いにコンデンサ３４ｅによって結合する。この方法によれば屋内配線２３を切断する必要がない。
【００２７】
図３に示すコード結合器３３を２個使用すれば単相２線式の屋内配線２３と分岐コード３１ｄとを結合できる。また、４つの挟持部を設ければ、１個のコード結合器によって屋内配線２３の２線と分岐コードの２線とを同時に結合できる。
【００２８】
３相４線式の送電システムでは、図５に示すように送電設備あるいは変電設備４１からの３相（Ａ、Ｂ、Ｃ）の電力線と接地線（Ｄ）とによって電力が送電され、各家庭には配電盤２４を介していずれかの相の電力線と接地線とによって電力が供給され、それぞれの家庭に子機２８が接続される。従って、配電盤２４の下流側で、親機２９を例えばＣ相の電力線にコード結合器３３で結合し、Ａ相の電力線とＢ相の電力線とをコード結合器３３で結合し、Ｂ相の電力線とＣ相の電力線とをコード結合器３３で結合すれば、何れの相の電力線を使用している子機と親機との間で通信ができる。しかも、配電盤２４及び変電設備４１等を介さずに通信ができるので、信号の損失が少なくて済む。
【図面の簡単な説明】
【００２９】
【図１】本発明の電力線通信システムの構成図である。
【図２】本発明の電力線通信システムに使用する中継用電源コードの結線図である。
【図３】本発明の電力線通信システムに使用するコード結合器の構成図である。
【図４】従来の電力線通信システムの構成図である。
【図５】本発明の電力線通信システムの他の構成図である。
【符号の説明】
【００３０】
２１：低圧電力線
２２：集合住宅
２３：屋内配線
２４：配電盤
２５：分岐配線
２６：電力計
２７：コンセント
２８：子機
２９：親機
３０：通信ネットワーク
３１：中継用電源コード
３１ａ：プラグ
３１ｂ：コンセント
３１ｃ：インダクタ
３１ｄ：分岐コード
３２：コンデンサ
３３：コード結合器
３４、３５：絶縁体ブロック
３４ａ、３４ｂ、３５ａ、３５ｂ：挟持部
３４ｃ、３４ｄ：接触片
３４ｅ：コンデンサ
４１：変電設備
【図１】
2006295692.tif 000003
【図２】
2006295692.tif 000004
【図３】
2006295692.tif 000005
【図４】
2006295692.tif 000006
【図５】
2006295692.tif 000007